(57)【特許請求の範囲】
【請求項１】
撮像素子を備えたビデオカメラにおいて、
上記ビデオカメラは、上記撮像素子によって撮像された撮像信号を信号処理してビデオ信号を出力する信号処理手段を備えたビデオカメラ本体と、上記撮像素子を有し上記ビデオカメラ本体に対して着脱可能に設けられた撮像ブロックとから構成され、
上記撮像ブロックは、上記ビデオカメラのセットアップを行うセットアップデータを記憶したメモリ手段を有し、
上記ビデオカメラ本体は、上記メモリ手段に記憶されたセットアップデータに基づいて、上記撮像ブロックおよび上記ビデオカメラ本体のセットアップを行う制御手段を有することを特徴とするビデオカメラ。
【請求項２】
上記メモリ手段に記憶されたセットアップデータは、シェーディング補正データを含み、
上記制御手段は、上記メモリ手段から読み出されたシェーディング補正データに基づいて、上記ビデオカメラ本体から出力されるビデオ信号に対してシェーディング補正が行われるように上記信号処理手段を制御することを特徴とする請求の範囲第１項記載のビデオカメラ。
【請求項３】
上記メモリ手段に記憶されたセットアップデータは、上記撮像素子のアスペクト比を示すアスペクト比データを含み、
上記制御手段は、上記メモリ手段から読み出されたアスペクト比データに応じたビデオ信号を出力するように、上記信号処理手段を制御することを特徴とする請求の範囲第１項記載のビデオカメラ。
【請求項４】
上記ビデオカメラ本体は、上記撮像信号を表示するビューファインダを有し、
上記制御手段は、上記ビューファインダに上記アスペクト比データに応じたビデオ信号が表示されるように、上記信号処理手段を制御することを特徴とする請求の範囲第３項記載のビデオカメラ。
【請求項５】
上記メモリ手段に記憶されたセットアップデータは、上記撮像素子に入射する撮像光を３原色成分光に分解するプリズムの色分解特性を示すデータを含み、
上記制御手段は、上記メモリ手段から読み出された色分解特性を示すデータに応じて、上記撮像素子から出力された撮像信号の色合いを補正するように、上記信号処理手段を制御することを特徴とする請求の範囲第１項記載のビデオカメラ。
【請求項６】
上記メモリ手段に記憶されたセットアップデータは、上記撮像ブロックを識別するためのシリアル番号データを含み、
上記制御手段は、上記メモリ手段から読み出されたシリアル番号データに応じて、上記メモリ手段から読み出すセットアップデータを制御することを特徴とする請求の範囲第１項記載のビデオカメラ。
【請求項７】
上記メモリ手段に記憶されたセットアップデータは、上記撮像素子を駆動させるための駆動手段の駆動タイミングを制御するクロック制御データを含み、
上記制御手段は、上記メモリ手段から読み出されたクロック制御データに応じて、上記駆動手段の駆動タイミングを制御することを特徴とする請求の範囲第１項記載のビデオカメラ。
【請求項８】
上記メモリ手段に記憶されたセットアップデータは、上記ビデオカメラの仕向け先を示す仕向先データを含み、
上記制御手段は、上記メモリ手段から読み出された仕向先データに基づいて、仕向先の信号規格に応じたビデオ信号を出力するように、上記信号処理手段を制御することを特徴とする請求の範囲第１項記載のビデオカメラ。
【請求項９】
上記信号処理手段は、上記仕向先の規格に応じた信号レベルに変換するレベル変換手段を有し、
上記制御手段は、上記信号処理手段から出力されるビデオ信号の信号レベルが、上記仕向先データに応じた信号レベルとなるように上記レベル変換手段を制御することを特徴とする請求の範囲第８項記載のビデオカメラ。
【請求項１０】
上記レベル変換手段によって変換されるビデオ信号のレベルは、輝度信号のレベル、セットアップレベルおよび色差信号の最大レベルと最小レベルとの差のレベルを含むことを特徴とする請求の範囲第９項記載のビデオカメラ。
【請求項１１】
上記ビデオカメラは、外部機器を接続するためのカメラアダプタをさらに有し、
上記カメラアダプタは、上記ビデオカメラ本体から出力されるビデオ信号を上記外部機器に応じて出力する出力手段と、上記外部機器の種類を示す接続機器情報データを記憶した記憶手段とを備え、
上記信号処理手段は、上記記憶手段に記憶された上記接続機器情報データに基づいて、上記カメラアダプタから出力されるビデオ信号の伝送による減衰レベルを検出するために用いられるサンプルパルスを付加する信号付加手段をさらに備えることを特徴とする請求の範囲第１項記載のビデオカメラ。
【請求項１２】
上記信号付加手段は、上記記憶手段に記憶された上記接続機器情報データに基づいて、上記ビデオ信号に上記外部機器との同期をとるための同期信号を付加する同期信号付加回路を含むことを特徴とする請求の範囲第11項記載のビデオカメラ。
【請求項１３】
撮像素子を備えたビデオカメラをセットアップするセットアップ方法において、
上記ビデオカメラは、上記撮像素子によって撮像された撮像信号を信号処理してビデオ信号を出力する信号処理手段を備えたビデオカメラ本体と、上記撮像素子を有し上記ビデオカメラ本体に対して着脱可能に設けられると共に上記ビデオカメラのセットアップを行うためのセットアップデータを記憶したメモリ手段を有した撮像ブロックとから構成され、
（ａ）上記ビデオカメラの電源の投入の操作に応答して、上記メモリ手段から上記セットアップデータを読み出すステップと、
（ｂ）上記ステップ（ａ）で読み出されたセットアップデータに基づいて、上記撮像ブロックおよび上記ビデオカメラ本体のセットアップを行うステップとを備えたことを特徴とするビデオカメラのセットアップ方法。
【請求項１４】
上記メモリ手段に記憶されたセットアップデータは、シェーディング補正データを含み、
上記ステップ（ｂ）で、上記ビデオカメラ本体から出力されるビデオ信号に対して、上記メモリ手段から読み出されたシェーディング補正データに応じたシェーディング補正が行われるようにセットアップを行うことを特徴とする請求の範囲第13項記載のビデオカメラのセットアップ方法。
【請求項１５】
上記メモリ手段に記憶されたセットアップデータは、上記撮像素子のアスペクト比を示すアスペクト比データを含み、
上記ステップ（ｂ）で、上記メモリ手段から読み出されたアスペクト比データに応じたビデオ信号が出力されるように上記セットアップを行うことを特徴とする請求の範囲第13項記載のビデオカメラのセットアップ方法。
【請求項１６】
上記メモリ手段に記憶されたセットアップデータは、上記撮像素子に入射する撮像光を３原色成分光に分解するプリズムの色分解特性を示すデータを含み、
上記ステップ（ｂ）で、上記メモリ手段から読み出された色分解特性を示すデータに応じて上記撮像素子から出力された撮像信号の色合いを補正するように上記セットアップを行うことを特徴とする請求の範囲第13項記載のビデオカメラのセットアップ方法。
【請求項１７】
上記メモリ手段に記憶されたセットアップデータは、上記撮像ブロックを識別するためのシリアル番号データを含み、
上記ステップ（ａ）で、上記メモリ手段から読み出されたシリアル番号データに応じて、上記メモリ手段から読み出すセットアップデータを制御することを特徴とする請求の範囲第13項記載のビデオカメラのセットアップ方法。
【請求項１８】
上記メモリ手段に記憶されたセットアップデータは、上記撮像素子を駆動させるための駆動手段の駆動タイミングを制御するクロック制御データを含み、
上記ステップ（ｂ）で、上記メモリ手段から読み出されたクロック制御データに応じて上記駆動手段の駆動タイミングを制御するように上記セットアップを行うことを特徴とする請求の範囲第13項記載のビデオカメラのセットアップ方法。
【請求項１９】
上記メモリ手段に記憶されたセットアップデータは、上記ビデオカメラの仕向先を示す仕向先データを含み、
上記ステップ（ｂ）で、上記メモリ手段から読み出された仕向先データに基づいて仕向先の信号規格に応じたビデオ信号を出力するように上記セットアップを行うことを特徴とする請求の範囲第13項記載のビデオカメラのセットアップ方法。
【請求項２０】
上記信号処理手段は上記仕向先の規格に応じた信号レベルに変換するレベル変換手段を有し、
上記ステップ（ｂ）で、上記信号処理手段から出力されるビデオ信号の信号レベルが上記仕向先データに応じた信号レベルとなるように上記セットアップを行うことを特徴とする請求の範囲第19項記載のビデオカメラのセットアップ方法。
【請求項２１】
上記レベル変換手段で変換されるビデオ信号のレベルは、輝度信号のレベル、セットアップレベルおよび色差信号の最大レベルと最小レベルとの差のレベルを含むことを特徴とする請求の範囲第20項記載のビデオカメラのセットアップ方法。
【請求項２２】
撮像素子を備えたビデオカメラにおいて、
上記ビデオカメラは、上記撮像素子によって撮像された撮像信号を信号処理してビデオ信号を出力する信号処理手段を備えたビデオカメラ本体と、上記撮像素子を有し上記ビデオカメラ本体に対して着脱可能に設けられると共に上記ビデオカメラのセットアップを行うためのセットアップデータを記憶したメモリ手段を有した撮像ブロックとから構成され、
上記ビデオカメラの電源の投入の操作に応答して、上記メモリ手段から上記セットアップデータを読み出す読み出し手段と、
上記読み出し手段で読み出されたセットアップデータに基づいて、上記撮像ブロックおよび上記ビデオカメラ本体のセットアップを行う制御手段とを備えたことを特徴とするビデオカメラ。
【請求項２３】
撮像素子を備えたビデオカメラをセットアップするセットアップ方法において、
上記ビデオカメラは、上記撮像素子によって撮像された撮像信号を信号処理してビデオ信号を出力する信号処理手段を備えたビデオカメラ本体と、上記撮像素子を有し上記ビデオカメラ本体に対して着脱可能に設けられた撮像ブロックとから構成され、
上記撮像ブロックは、上記ビデオカメラのセットアップを行うセットアップデータを記憶したメモリ手段を有し、
上記メモリ手段に記憶されたセットアップデータに基づいて、上記撮像ブロックおよび上記ビデオカメラ本体のセットアップを行うステップを備えることを特徴とするビデオカメラのセットアップ方法。
【発明の詳細な説明】
技術分野
この発明は、撮像素子を有する撮像ブロックを交換する際にカメラ本体側での調整を省略あるいは軽減でき、また複数の回路基板を用意することなく仕向先に応じたビデオ信号を得ることができるビデオカメラおよびビデオカメラのセットアップ方法に関する。
背景技術
従来、色分解プリズム、CCD（charge coupled device）固体撮像素子、信号処理回路等からなる撮像ブロックがカメラ本体に対し着脱可能に構成されたビデオカメラが提案されている。この場合、撮像ブロックを交換する際には、CCD固体撮像素子および光学系の特性のバラツキ等を補償するために、カメラ本体側で多くの項目を調整する必要があった。
このように撮像ブロックの交換に伴ってカメラ本体側で多くの項目の調整が必要であったため、ユーザは撮像ブロックの交換を簡単に行うことができず、専用の測定器や治工具を必要とし、専門化による作業が必要であった。よって、１台のカメラ本体に対して１個の撮像ブロックしか持つことができず、CCDのバージョンアップや4:3→16:9へのアスペクト比の移行等に伴って、撮像ブロックだけ交換したい、あるいは複数の撮像ブロックが欲しいという要求に簡単に応えることができなかった。
また、ドラマなど芸術性の高い作品を撮影する放送用のビデオカメラにおいては、一般に高い画質が要求されるため、３つの撮像管を用いた３管式あるいは３つの固体撮像素子を用いた３板式が主流である。
特に、３板式のビデオカメラでは、撮像レンズの後ろに３色分解プリズムを設け、撮像レンズを通過してきた光をＲ（赤）,G（緑）,B（青）の色成分光に分解する方式が一般に採用されている。この方式では、各色成分光の光路がそれぞれ独立であるため、各光路にトリミングフィルタを挿入して自由に色補正を行なうことができる。したがって、理想的な撮像特性が得られやすく、色調の良好なカラー画像を得ることができるという特徴を有する。また、入射光の吸収が少なく、光の利用率が良好となるため、感度の高いカメラを比較的容易に作れるという利点がある。
ここで、R,G,Bの撮像素子より出力される撮像信号からコンポジット映像信号を得るまでの過程を説明する。まず、撮像レンズを通過してきた光は、３色分解プリズムによってR,G,Bの色成分光に分解されて、それぞれR,G,Bの撮像素子に入射される。これにより、R,G,Bの撮像素子の撮像面にはそれぞれ被写体に対応したR,G,Bの色画像が結像される。
また、各撮像素子にて光電変換されて得られた撮像信号に対して、それぞれプリアンプ、クランプ、ガンマ補正などの各種信号処理が行なわれてR,G,Bの色信号が形成される。そして、R,G,Bの色信号よりマトリックス回路で輝度信号Ｙと赤色差信号Ｒ−Ｙと青色差信号Ｂ−Ｙが形成され、さらに輝度信号Ｙおよび色差信号Ｒ−Y,B−Ｙより合成回路（エンコーダ）でコンポジット映像信号が形成される。合成回路では、輝度信号Ｙに同期信号を付加する処理、色差信号Ｒ−Y,B−Ｙより搬送色信号を得るための色変調処理、同期信号が付加された輝度信号Ｙと搬送色信号とを合成してコンポジット映像信号を得る合成処理等が行われる。
また、合成回路より出力されるコンポジット映像信号は、例えばこのビデオカメラに接続されているカメラアダプタおよびカメラケーブルを通じて後段のCCU（カメラ制御装置）に入力される。CCUは、レンズ絞り、カラーフィルタやNDフィルタ（neutral density filter）の選択、ケーブル長補償、輪郭補正、各チャネルのガンマ補正、ニー特性、ペデスタルレベルなどの調整を遠隔制御できる。撮像素子として撮像管が使用される場合、CCUは、レジストレーション、撮像管のビーム量、ビームフォーカスやビームアライメント等の調整も遠隔制御できるようになっている。
ところで、コンポジット映像信号は、例えば日本、米国、欧州等の仕向先によってその規格が異なる。例えば日本のNTSC規格、米国のNTSC規格（RS170A）、欧州のPAL規格では、コンポジット映像信号を構成する輝度信号Ｙおよび色差信号Ｒ−Y,B−Ｙのレベルが異なっている。
ここで、コンポジット映像信号を構成する輝度信号Ｙおよび色差信号Ｒ−Y,B−Ｙの仕向先による各レベルの違いを別紙表１、第15図、第16A図、第16B図、第17A図、第17B図を参照して説明する。
まず、輝度信号Ｙの白レベル（100％レベル）Vwは、日本のNTSC規格では714mV、米国のNTSC規格では714mV、欧州のPAL規格では700mVである（別紙表１、第15図参照）。そして、セットアップレベルは、日本のNTSC規格および欧州のPAL規格では白レベルの０％（別紙表１、第16B図参照）、米国のNTSC規格では白レベルの7.5％である（別紙表１、第16A図参照）。したがって、米国のNTSC規格における輝度信号の白レベルは714mVとなっているが、セットアップレベルを考慮しない場合の白レベルは、660.45mV（＝714×0.925mV）となる。
次に、色差信号Ｒ−Y,B−Ｙの75％カラーバーにおける最大レベルと最小レベルの差VP−Ｐについては、日本のアナログインターフェースでは700mV、米国のアナログインターフェースでは756mV、欧州のアナログインターフェースでは525mVである（別紙表１、第17A図、第17B図参照）。
現状のビデオカメラにおいては、例えばその製造時に、輝度信号Ｙおよび色差信号Ｒ−Y,B−Ｙの各レベルを例えば欧州向けのレベルとするマトリックス回路が組み込まれた回路基板を搭載すると共に、各レベルを日本向けおよび米国向けのレベルとする複数の回路基板をオプションとして出荷するようにしている。すなわち、これら輝度信号および色差信号のレベルが一つの規格に合わせて固定となっている。
このようなことから、ユーザーは、カメラアダプタに接続される外部機器がCCUの場合は、CCUの各種パラメータを入力操作して輝度信号および色差信号の各レベルを放送する国に応じたレベルに変換して使用することになる。この場合、上述の撮像ブロックも規格に適合したものに交換することになる。そして、通常は、コンポジット映像信号の伝送中における減衰状態を検出するために使用されるAGC（automatic gain control）用のサンプルパルスがコンポジット映像信号の垂直ブランキング期間に付加されるが、このサンプルパルスの付加を専らカメラアダプタの回路で行なうようにしている。
一方、カメラアダプタに接続される外部機器がVTR（ビデオテープレコーダ）の場合は、現在の回路基板を収録素材が使用（放送）される国の規格に応じた回路基板（オプション）に組み替えてから、VTRにコンポジット映像信号を供給するようにしている。回路基板の組み替え作業は、単に回路基板を組み替えるだけで終了するものではない。すなわち、上述したようにサンプルパルスの付加がカメラアダプタ内の回路にて行なわれるため、各信号の再調整が必要となる。その再調整に時間がかかることから、回路基板の組み替え作業は非常に面倒である。しかも、組み替える回路基板を間違えやすく、コンポジット映像信号のレベルが規格に適合しないといった事態が生じるおそれがある。
特に、カメラアダプタで付加されるサンプルパルスのレベルが一律であるため、CCUにおいてケーブル長補償を行なう際、CCUの後段に接続される機器の種類、ケーブル長によっては信号の減衰が大きい場合があり、サンプルパルス自体が消失してコンポジット映像信号のAGCによる再現が不可能になる、あるいは再調整不良等によるいわゆるマトリックスエラーを引き起こしやすくなる。
そこで、この発明は、撮像素子を有する撮像ブロックを交換する際にカメラ本体側での調整を省略あるいは軽減することを目的とする。
また、この発明は、指向先を変える度に回路基板の組み替えや再調整をする必要がなく、生産性およびサービス性の向上を図ることを目的とする。
また、この発明は、カメラアダプタの回路削減、コスト削減およびマトリックスエラーの低減を図ることを目的とする。
発明の開示
この発明では、ビデオカメラは、撮像素子によって撮像された撮像信号と信号処理してビデオ信号を出力する信号処理手段を備えたビデオカメラ本体と、撮像素子を有しビデオカメラ本体に対して着脱可能に設けられた撮像ブロックとから構成される。そして、撮像ブロックはビデオカメラのセットアップを行うセットアップデータを記憶したメモリ手段を有し、ビデオカメラ本体はメモリ手段に記憶されたセットアップデータに基づいて撮像ブロックおよびビデオカメラ本体のセットアップを行う制御手段を有するものである。例えば、信号処理手段では、セットアップデータの１つである仕向先データに基づいて、ビデオ信号の信号レベルが仕向先に応じた信号レベルとなるように変換される。
またこの発明では、ビデオカメラは、撮像素子によって撮像された撮像信号を信号処理してビデオ信号を出力する信号処理手段を備えたビデオカメラ本体と、撮像素子を有しビデオカメラ本体に対して着脱可能に設けられると共にビデオカメラのセットアップを行うためのセットアップデータを記憶したメモリ手段を有した撮像ブロックとから構成される。そして、ビデオカメラの電源の投入の操作に応答して、メモリ手段からセットアップデータを読み出すステップと、このステップで読み出されたセットアップデータに基づいて撮像ブロックおよびビデオカメラ本体のセットアップを行うステップとを備えるものである。
またこの発明では、ビデオカメラは、撮像素子によって撮像された撮像信号を信号処理してビデオ信号を出力する信号処理手段を備えたビデオカメラ本体と、撮像素子を有しビデオカメラ本体に対して着脱可能に設けられると共にビデオカメラのセットアップを行うためのセットアップデータを記憶したメモリ手段を有した撮像ブロックとから構成される。そして、ビデオカメラの電源の投入の操作に応答して、メモリ手段からセットアップデータを読み出す読み出し手段と、この読み出し手段で読み出されたセットアップデータに基づいて、撮像ブロックおよびビデオカメラ本体のセットアップを行う制御手段とを備えるものである。
またこの発明では、ビデオカメラは、撮像素子によって撮像された撮像信号を信号処理してビデオ信号を出力する信号処理手段を備えたビデオカメラ本体と、撮像素子を有しビデオカメラ本体に対して着脱可能に設けられた撮像ブロックとから構成され、撮像ブロックは、ビデオカメラのセットアップを行うセットアップデータを記憶したメモリ手段を有している。そして、メモリ手段に記憶されたセットアップデータに基づいて、撮像ブロックおよびビデオカメラ本体のセットアップを行うステップを備えるものである。
さらにこの発明では、ビデオカメラは外部機器を接続するためのカメラアダプタをさらに有し、このカメラアダプタはビデオカメラ本体から出力されるビデオ信号を外部機器に応じて出力する出力手段と外部機器の種類を示す接続機器情報データを記憶した記憶手段とを備える。そして、ビデオカメラ本体の信号処理手段は接続機器情報データに基づいてカメラアダプタから出力されるビデオ信号の伝送による減衰レベルを検出するために用いられるサンプルパルスを付加する信号付加手段を備えるものである。
これにより、例えば電源投入（パワーオン）時に、撮像ブロックのメモリ手段より読み出されるシェーディング補正データや仕向先コード等のセットアップデータに基づいて撮像ブロックやビデオカメラ本体の各回路が制御されて自動的にセットアップが行われる。そのため、撮像ブロックの交換時におけるカメラ本体側での調整や仕向先の変更時における回路基板の組み替え等の省略や軽減を実現できる。
また、ビデオカメラ本体でビデオ信号の伝送による減衰レベルを検出するために用いられるサンプルパルスを付加できる。そのため、カメラアダプタよりサンプルパルスを付加するための回路を削減でき、コスト削減を実現できる。
また、信号処理手段ではセットアップデータの１つである仕向先データに基づいて、ビデオ信号の信号レベルが仕向先に応じた信号レベルとなるように変換される。そのため、信号の再調整が不要となり、再調整不良等によるマトリックスエラーを低減できる。
【図面の簡単な説明】
第１図および第２図はこの発明に係るビデオカメラを放送用のスタジオカメラに適用した例を示すブロック図である。第３図はカメラ本体に組み込まれるリニアマトリックス回路の構成例を示す回路図である。第４図はレベル変換回路の構成例を示す回路図である。第５図はカメラ本体に組み込まれるセットアップレベル信号付加回路の構成例を示す回路図である。第６図はサンプルパルスを説明するための図である。第７図はカメラ本体に組み込まれるサンプルパルス付加回路の構成例を示す回路図である。第８図はカメラ本体に組み込まれるSYNC付加回路の構成例を示す回路図である。第９図はカメラ本体に組み込まれるマイコンのハード構成を外部機器および外部回路と共に示すブロック図である。第10図はスイッチング処理手段の動作を示す機能ブロック図である。第11図はスイッチング処理手段の動作を示すフローチャートである。第12図はレベル制御データ作成手段の動作を示すフローチャートである。第13図はサンプルパルスデータ作成手段の動作を示すフローチャートである。第14図はSYNCデータ作成手段の動作を示すフローチャートである。第15図は輝度信号Ｙの水平波形の一例を示す波形図である。第16A図および第16B図はセットアップの規格を説明するために輝度信号Ｙの水平波形を一部省略して示す波形図である。第17A図および第17B図は色差信号Ｒ−Y,B−Ｙの水平波形の一例を示す波形図である。
発明を実施するための最良の形態
第１図は、この発明に係るビデオカメラを放送用のスタジオカメラに適用した具体例である。第１図に示すビデオカメラは、光学ヘッド部（OHB）１とカメラ本体２とから構成される。光学ヘッド部１は、撮像レンズ11と、撮像素子を有してなる撮像ブロック（CCDブロック）12とから構成される。光学ヘッド部１はカメラ本体２に対して、例えば４本のねじを使用して機械的に連結され、光学ベッド部１を交換する場合は、その４本のねじをコインなどでゆるめるだけで簡単に着脱できるようになっている。また、光学ヘッド部１の撮像ブロック12とカメラ本体２との電気的な接続は、直接コネクタを通じて、あるいはコネクタとフレキシブルケーブルを含む信号ラインを通じて行われる。
撮像ブロック12は、第２図に示すように、撮像レンズ11を通して入射された光をR,G,Bの色成分光に分解するための色分解プリズム120と、この色分解プリズム120で分解されたR,G,Bの色成分光が入試やされて撮像面上にそれぞれ被写体に係る赤色画像、緑色画像、青色画像が結像されるCCD固体撮像素子121R,121G,121Bと、この撮像素子121R,121G,121Bを駆動するためのCCDドライバ122とを有している。
また、撮像ブロック12は、撮像素子121R,121G,121Bよりそれぞれ出力されるR,G,Bの撮像信号を増幅すると共に、周知の相関二重サンプリングを行ってリセット雑音を低減する等の処理を行うためのプリアンプ回路123R,123G,123Bと、このプリアンプ回路123R,123G,123Bよりそれぞれ出力されるR,G,Bの色信号のレベル調整を行うためのゲイン調整回路124R,124G,124Bとを有している。ゲイン調整回路124R,124G,124Bは、撮像素子121R,121G,121Bの感度のバラツキによる各色信号のレベル差を抑えるためのものである。
また、撮像ブロック12は、基準クロックを発生する電圧制御発振器（VCO）125と、この基準クロック125より出力される基準クロックに基づいて種々のタイミング信号を得るためのタイミング発生器126とを有している。上述したCCDドライバ122およびプリアンプ回路123R,123G,123Bのそれぞれには、タイミング発生器126より必要なタイミング信号が供給される。なお、図示は省略するが、その他の回路にもタイミング発生器126より必要なタイミング信号が供給される。
電圧制御発振器125にはカメラ本体２の後述するマイクロコンピュータ（以下、「マイコン」という）201からのVCOオフセットデータがD/A変換器127を介して供給され、これにより電圧制御発振器125より出力される基準クロックの周波数が一定となるように制御される。また、CCDドライバ122にはカメラ本体２のマイコン201より後述する基板クロック電圧データVsubおよびリセットゲートクロック電圧Vrgが供給され、これによりCCDドライバ122の動作が制御される。また、タイミング発生器126にはカメラ本体２のマイコン201より後述するBLKオフセットデータが供給され、これによりタイミング発生器126の動作が制御される。
また、タイミング発生器126は、撮像素子がインターライントランスファー型（IT型）であるかフレームインターライントランスファー型（FIT型）であるかを示すデータが得られる端子126aを有している。タイミング発生器126から出力されるタイミング信号の数はIT型とFIT型との間で異なるので、そのタイミング信号の数に応じてIT型かFIT型かを示すデータが端子126aから出力される。タイミング発生器126の端子126aに得られるデータはカメラ本体２のマイコン201に供給される。
また、撮像ブロック12は、フィルタディスクユニット128を有している。このフィルタディスクユニット128によって、NDフィルタや、CCフィルタ（color conversion filter）の挿入切り換えが行われる。NDフィルタは、可視域で波長選択性なく一様に減光する光学フィルタであって、光学系の絞りを変えずに減光したいとき等に用いられ、1/4,1/8,1/16,・・・等に減光し得る種々の濃度のものがある。また、CCフィルタは、カラービデオカメラが最適なカラーバランスを得ることができない色温度の照明光下で用いられるとき、照明光の色温度を変換するために用いられ、4300K,6300K,8000K,・・・等の種々の色温度のものがある。フィルタディスクユニット128にはカメラ本体２のマイコン201よりシリアル／パラレル変換器（S/P変換器）301を通じてフィルタ切換制御信号が供給され、これによりNDフィルタやCCフィルタの切り換え動作が制御される。
また、撮像ブロック12は、書き換え可能な不揮発性メモリとしてEEPROM（electrically erasable and programmable read−only memory）129を有している。このEEPROM129には、セットアップデータとして、撮像素子121R,121G,121Bのホワイトシェーディングデータ、撮像素子121R,121G,121Bの基板クロック電圧データ、リセットゲートクロック電圧データおよびBLMオフセットデータ（温度特性データ）、電圧制御発振器125を制御するためのVCOオフセットデータ、撮像素子121R,121G,121Bのアスペクト比を示すアスペクト比データ、ビデオカメラの仕向先を示す仕向先データ、NDフィルタを挿入したときにR,G,Bの色信号のバランスがずれるの補正するためのホワイトオフセットデータ、撮像ブロック12のシリアル番号データ、色分解プリズム120の色分解特性を示すマスキングデータ、フィルタディスクユニット128のNDフィルタやCCフィルタの種類を示すNDフィルタデータおよびCCフィルタデータ、CCフィルタの色温度を示す色温度データ、赤外カットフィルタの厚さを示すIRフィルタデータ等が格納される。
例えば、別紙表２に示すように、アドレス「000−5FF」には、撮像素子121R,121G,121Bのホワイトシェーディングを補正するためのホワイトシェーディングデータ（WHT  SHADING）が格納される。このようにホワイトシェーディングデータが多く格納されるのは、１画面における補正点を多くとって補正精度を上げるためである。アドレス「700〜702」には、撮像素子121R,121G,121Bの基板クロック電圧データ（Vsub  data）が格納される。アドレス「703」には、電圧制御発振器125より出力されるクロックの周波数を一定にするためのVCOオフセットデータ（VCO  offset  data）が格納される。アドレス「704」には、ダーク補正に使用される撮像素子121R,121G,121BのBLKオフセットデータ（BLK  offset  data）が格納される。アドレス「705〜707」には、撮像素子121R,121G,121Bのリセットゲートクロック電圧データ（Vrg  data）が格納される。ここで、基板クロック電圧Vsubは基板に印加される正のDCバイアス電圧であり、リセットゲートクロック電圧データVrgはフローティングディフュージョンの電圧をリセットドレインバイアスにリセットするための設定電圧である。
また、アドレス「70B」には、撮像素子121R,121G,121Bのアスペクト比を示すアスペクト比データ（16:9/4:3）が格納される。アドレス「70C」には、ビデオカメラの仕向先を示す仕向先データ（U/J/E）が格納される。ここで、Ｕは米国、Ｊは日本、Ｅは欧州である。アドレス「710−711,712−713,714−715,716−717,718−719,71A−71B,71C−71D,71E−71F」には、フィルタディスクユニット128に装着される４個のNDフィルタをそれぞれ挿入したときにR,G,Bの色信号のバランスがずれるのを補正するためのホワイトオフセットデータ（Rch  offset,Bch  offset）が格納される。
また、アドレス「720−72F」には、撮像ブロック12のシリアル番号データ（CCD  BLOCK  NUM）がアスキーコードで格納される。アドレス「748−749,74A−74B,74C−74D,74E−74F,750−751,752−753」には、色分解プリズム120の色分解特性を示すマスキングデータ（MASK（B,R）DATA  〜MASK（G,B）DATA）が格納される。アドレス「754,756,758,75A」には、フィルタディスクユニット128に装着される４個のNDフィルタの種類を示すNDフィルタデータ（ND1  DATA〜ND4  DATA）が格納される。ここで、「FFFFh」はNDフィルタが「ない」ことを示している。なお、別紙表２において、“h"は16進表示であることを示している。
また、アドレス「75C,75E,760,762」には、フィルタディスクユニット128に装着される４個のCCフィルタの種類を示すCCフィルタデータ（CC1  DATA〜CC4  DATA）が格納される。ここで、「2000h〕は素通しであり、「3802h」は1/4の減光を伴う5600KのCCフィルタを示しており、「3800h」は減光のない5600KのCCフィルタを示しており、「3804h」は1/16の減光を伴う5600KのCCフィルタを示している。
また、アドレス「764−765,766−767,768−769,76A−76B」には、フィルタディスクユニット128に装着される４個のCCフィルタの色温度を示す色温度データ（CC1  OFFSET〜CC4  OFFSET）が格納される。この場合、色温度の逆数を100万倍にしたミレットデータである。アドレス「76C」には、赤外カットフィルタの厚さを示すIRフィルタデータ（IR  CUT  FILT  DATA）が格納される。この場合、0.9mm＝90である。
上述したようにEEPROM129に格納されるセットアップデータは、例えば向上出荷時に撮像ブロック12の特性等を示すように予め書き込まれる。
上述したEEPROM129はカメラ本体２のマイコン201に接続される。後述するように、パワーオン時（電源投入時）には、マイコン201の制御によって、EEPROM129により上述した各種データがセットアップデータとして読み出され、そのデータに基づいて光学ヘッド部１の撮像ブロック12およびカメラ本体２の各回路のセットアップが自動的に行われる。
次に、第１図に戻って、カメラ本体２の構成を説明する。
カメラ本体２は、光学ヘッド部１の撮像ブロック12より出力されるR,G,Bの色信号をそれぞれ処理するための処理回路202R,202G,202Bと、この処理回路202R,202G,202Bより出力されるR,G,Bの色信号Sr,Sg,Sbに対して必要な部分のみを取り出すための切り出し回路203と、この切り出し回路203で取り出された色信号Sr,Sg,Sbに対してマトリックス処理をして輝度信号Ｙおよび色差信号Ｒ−Y,B−Ｙを形成するためのマトリックス回路204とを有している。これら処理回路202R,202G,202B、切り出し回路203およびマトリックス回路204の動作は、それぞれマイコン201によって制御される。
切り出し回路203では、EEPROM129から得られたアスペクト比データに基づいて、撮像素子121R,121G,121Bのアスペクト比と出力すべきビデオ信号のアスペクト比との関係で切り出し処理が行われる。例えば、撮像素子121R,121G,121Bのアスペクト比が16:9の場合、出力すべきビデオ信号のアスペクト比が16:9であるときは色信号SR,Sg,Sbの全ての部分が取り出され、一方出力すべきビデオ信号のアスペクト比が4:3であるときは色信号Sr,Sg,Sbの一部のみが取り出される。なお、撮像素子121R,121G,121Bのアスペクト比は、パワーオン時にEEPROM129より読み出されるアスペクト比を示すアスペクト比データで判別される。
また、カメラ本体２は、マトリックス回路204より出力される輝度信号Ｙおよび色差信号Ｒ−Y,B−Ｙのレベルを変換するレベル変換回路206と、レベル変換回路206より出力される輝度信号Ｙにセットアップレベル信号を付加するためのセットアップレベル信号付加回路207と、セットアップレベル信号付加回路207より出力される輝度信号Ｙとレベル変換回路206より出力される色差信号Ｒ−Y,B−Ｙを合成してコンポジット映像信号Svを形成する合成回路系208とを有している。これらレベル変換回路206、セットアップレベル信号付加回路207、合成回路系208の動作は、それぞれマイコン201によって制御される。
なお、レベル変換回路206からは電子ビューファインダ（EVF）205に供給される映像信号が出力される。電子ビューファインダ205の動作もマイコン201によって制御される。この場合、出力すべきビデオ信号のアスペクト比によって電子ビューファインダ205の偏向系が制御される。
処理回路202R,202G,202Bは、第２図に示すように、撮像ブロック12のゲイン調整回路124R,124G,124Bより出力されるR,G,Bの色信号が供給されて、ブラックシェーディング発生器303より出力される補正波形信号を加算すると共に、カメラ調整時にテストSAW信号発生器304より出力される鋸歯状波信号（SAW信号）を加算するための加算器302R,302G,302Bを有している。
ブラックシェーディング発生器303より出力される補正波形信号は、ブラックシェーディングを補正すると共に後述するゲインセレクト回路でゲインアップ時に黒レベルが変化しないように補正するためのものであり、水平、垂直の鋸歯状波信号やパラボラ波信号等を適当なレベル比で混合して形成される。ブラックシェーディング発生器303にはマイコン201より制御データが供給され、これによりブラックシェーディング発生器303の動作が制御される。詳細説明は省略するが、カメラ調整時に発生器304より出力される鋸歯状波信号が加算器302R,302G,302Bを通じて後述するゲイン制御アンプに供給されることで、ガンマ補正回路やニー回路等の調整が行われる。
また、処理回路202R,202G,202Bは、加算器302R,302G,302Bの出力信号のレベルを制御してホワイトバランス調整等を行うためのゲイン制御アンプ305R,305G,305Bと、このゲイン制御アンプ305R,305G,305Bの出力信号に対するゲインを選択するためのゲインセレクト回路306R,306G,306Bとを有している。ゲインセレクト回路306R,306G,306Bでは、−3dB,0dB,＋3dB,＋6dB,＋9dB,＋12dB,＋18dB等のゲインの選択が可能であり、被写体が暗い低光量時にはゲインを上げて赤色信号、緑色信号、青色信号のレベルを調整できる。
ゲイン制御アンプ305R,305Bには、マイコン201よりD/A変換器307を介してホワイトオフセットデータが供給され、これによりゲイン制御アンプ305R,305Bのゲインが制御され、Ｇの色信号に対するR,Bの色信号のホワイトバランスが取られる。また、ゲインセレクト回路306R,306G,306Bにはマイコン201よりシリアル／パラレル変換器（S/P変換器）308を介してゲインセレクト制御信号が供給され、これによりゲインセレクト回路306R,306G,306Bのゲインが選択される。ゲインのセレクト操作は、カメラ操作者によるカメラ本体２のマイコン201に接続された操作パネル201aの操作、あるいはCCU（カメラ制御装置）の操作で行われる。
また、処理回路202R,202G,202Bは、ゲインセレクト回路306R,306G,306Bの出力信号のブランキング期間に一定レベルの信号を挿入する処理を行うためのプリブランキングクリーニング回路309R,309G,309Bと、このクリーニング回路309R,309G,309Bの出力信号のゲイン制御を行うためのホワイトシェーディング補正回路310R,310G,310Bとを有している。
また、ホワイトシェーディング発生器311にはマイコン201よりホワイトシェーディングデータが供給され、これによりホワイトシェーディング発生器311の補正波形信号の発生動作が制御される。ホワイトシェーディング補正回路310R,310G,310Bには、それぞれホワイトシェーディング発生器311より撮像素子121R,121G,121Bのホワイトシェーディングを補正するための補正波形信号が供給され、ホワイトシェーディングが補正される。
また、処理回路202R,202G,202Bは、ホワイトシェーディング補正回路310R,310G,310Bの出力信号に対して光学系や撮像素子のフレアによる黒レベルの持ち上がりを補正するためのフレア補正回路312R,312G,312Bと、このフレア補正回路312R,312G,312Bの出力信号に対して色分解プリズム120の分光感度のバラツキで色合いが違ってくるのを補正するためのリニアマトリックス回路314とを有している。フレア補正回路312R,312G,312Bにはマイコン201よりD/A変換器313を介してフレア補正制御信号が供給され、これによりフレア補正回路312R,312G,312Bの補正動作が制御される。フレア補正信号は、例えばCCUの操作で供給される。
第３図は、リニアマトリックス回路314の構成例を示している。図において、R,G,Bの色信号Rin,Gin、青色信号Binは、それぞれ加算器315R,315G,315Bに供給されると共に、マトリックス回路316に供給される。マトリックス回路316では、色信号Rin,Gin,Binに対して（１）式のように補正信号Cr,Cg,Cbが形成される。なお、マトリックス回路316には、色分解プリズム120の分光感度に対応した係数ａr（＝MASK（R,G）DATA）,ag（＝MASK（G,B）DATA）,ab（＝MASK（B,R）DATA）,br（＝MASK（R,B）DATA）,bg（＝MASK（G,R）DATA）,bb（＝MASK（B,G）DATA）のマスキングデータがマイコン201よりD/A変換器317を介して供給される。
Cr＝ａr（Rin−Gin）＋ｂr（Rin−Bin）
Cg＝ａg（Gin−Bin）＋ｂg（Gin−Rin）
Cb＝ａb（Bin−Rin）＋ｂb（Bin−Gin）・・・（１）
マトリックス回路316より出力される補正信号Cr,Cg,Cbは、それぞれ加算器315R,315G,315Bに供給されて色信号Rin,Gin,Binに加算される。そして、加算器315R,315G,315Bの出力信号がそれぞれ補正後のR,G,Bの色信号Rout,Gout,Boutとして出力される。
第２図に戻って、また処理回路202R,202G,202Bは、リニアマトリックス回路304より出力されるR,G,Bの色信号に対してダイナミックレンジの圧縮処理を行うためのニー回路318R,318G,318Bと、このニー回路318R,318G,318Bの出力信号に対してガンマ補正を行うためのガンマ補正回路319R,319G,319Bと、このガンマ補正回路319R,319G,319Bの出力信号に対してホワイトクリップ処理およびブラッククリップ処理を行ってR,G,Bの色信号Sr,Sg,Sbを得るためのクリップ回路320R,320G,320Bと、R,G,Bの色信号Sr,Sg,Sbのレベルをそれぞれ検出してマイコン201に供給するためのレベル検出器321とを有している。マイコン201では、レベル検出器321の検出出力に基づいて、例えばゲイン制御アンプ305R,305G,305Bのゲインを制御してホワイトバランス調整を行うことができる。
上述せずも、マイコン201より各回路に供給される制御データはシリアル形式のデータであり、この制御データと共にクロックおよびロッデータが供給される。各回路ではクロックおよびロードデータに基づいてシリアル形式のデータがパラレル形式に変換されて使用される。すなわち、撮像ブロック12のCCDドライバ122、タイミング発生器126、D/A変換器127、カメラ本体２のブラックシェーディング発生器303、D/A変換器307,313,317、ホワイトシェーディング発生器311にはシリアルデータからパラレルデータへの変換機能が備えられている。
しかし、撮像ブロック12のフィルタディスクユニット128、カメラ本体２のゲインセレクト回路306R,306G,306Bにはシリアルデータからパラレルデータへの変換機能が備えられておらず、シリアル／パラレル変換器（S/P変換器）301,308でもってシリアルデータからパラレルデータに変換される。
また、マイコン201より各回路に供給されるセットアップデータにはどの回路に対するデータであるかを識別するための識別データが配されたヘッダ部が設けられている。各回路では、識別データで自己に対するものであることが識別された場合のみ、セットアップ動作が行われる。
第１図に戻って、上述したようにレベル変換回路206は、マトリックス回路204の後段に接続される。第４図は、レベル変換回路206の構成例を示している。
レベル変換回路206は、輝度信号用レベル変換回路31と、２つの色差信号用レベル変換回路32,33と、２つのスイッチング制御回路34,35とを有している。
輝度信号用レベル変換回路31は、輝度信号Ｙの白レベル３種のレベル（714mV,700mV,660.45mV）に変換する第１のレベル変換回路41と、この第１のレベル変換回路41からの３種のレベルのうちいずれか１つのレベルに選択する第１のスイッチング回路42と、輝度信号Ｙの白レベルを単一のレベル（700mV）に変換する第２のレベル変換回路43と、第１のスイッチング回路42からの出力信号と第２のレベル変換回路43からの出力信号のうち１つの出力信号を選択する第２のスイッチング回路44とを有して構成されている。
第１のレベル変換回路41は、コレクタ端子に電源電圧＋Ｖが印加され、ベース端子に輝度信号Ｙが入力される駆動用のNPN形トランジスタQ1を有し、このトランジスタQ1のエミッタ端子と接地（GND）間に３つの抵抗器R1,R2およびR3が直列接続されて構成されている。そして、この第１のレベル変換回路41においては、輝度信号Ｙのレベルが白レベルである場合、３つの抵抗器R1,R2およびR3による抵抗分圧比によって、エミッタ端子の電圧が714mV、抵抗器R1およびR2の接続点の電圧が700mV、抵抗器R2およびR3の接続点の電圧が660.45mVとなるように各抵抗器R1,R2およびR3の抵抗値が設定されている。
第１のスイッチング回路42は、第１のレベル変換回路41におけるトランジスタQ1のエミッタ端子に接続される第１の固定接点42aと、抵抗器R1およびR2の接続点に接続される第２の固定接点42bと、抵抗器R2およびR3の接続点に接続される第３の固定接点42cと、出力側に接続される可動接点42dとを有して構成されている。可動接点42dは、スイッチング制御回路34からのスイッチング制御信号Sc1に基づいて第１〜第３の固定接点42a〜42cのうち、１つの固定接点と電気的に接続されるようになっている。
パワーオン時に光学ヘッド部の撮像ブロック12におけるEEPROM129より読み出されたマイコン201のデータRAMに格納される仕向先データに基づき、マイコン201では仕向先データDcが作成される。スイッチング制御回路34は、マイコン201からの仕向先データDcをデコードして、この仕向先データDcが示す内容に対応した属性を有するスイッチング制御信号Sc1を作成し、出力する。
具体的には、スイッチング制御回路34は、マイコン201から第１の仕向先（例えば日本向け）を示す仕向先データDcが入力端子φi1を通じて送られてきた場合、可動接点42dを第１の固定接点42aに電気的に接続させるためのスイッチング制御信号Sc1を出力し、マイコン201から第２の仕向先（例えば米国向け）を示す仕向先データDcが送られてきた場合、可動接点42dを第３の固定接点42cに電気的に接続させるためのスイッチング制御信号Sc1を出力し、マイコン201から第３の仕向先（例えば欧州向け）を示す仕向先データDcが送られてきた場合、可動接点42dを第２の固定接点42bに電気的に接続させるためのスイッチング制御信号Sc1を出力する。
第２のレベル変換回路43は、コレクタ端子に電源電圧＋Ｖが印加され、ベース端子に輝度信号Ｙが入力される駆動用のNPN形トランジスタQ2を有し、このトランジスタQ2のエミッタ端子と接地（GND）間に１つの抵抗器R4が接続されて構成されている。そして、この第２のレベル変換回路43においては、輝度信号Ｙのレベルが白レベルである場合、抵抗器R4での電圧降下により、エミッタ端子の電圧が700mVとなるように抵抗器R4の抵抗値が設定されている。
第２のスイッチング回路44は、第１のスイッチング回路42の可動設定42dに接続された第１の固定接点44aと、第２のレベル変換回路43におけるトランジスタQ2のエミッタ端子に接続された第２の固定接点44bと、出力側に接続される可動接点44cとを有して構成されている。
可動接点44cは、入力端子φi2に供給されるマイコン201からの選択信号Ssに基づいて、第１の固定接点44aまたは第２の固定接点44bとに選択的に、かつ電気的に接続されるようになっている。選択信号Ssは、パワーオン時にカメラ本体２に接続されるカメラアダプタ３に組み込まれる信号入出力回路45のROM45aより読み出されてマイコン201のデータRAMに格納される接続機器情報データDmiに基づいてマイコン201にて作成される。選択信号Ssは、カメラアダプタ３に接続される外部機器が例えばVTRであれば高レベルの信号となり、外部機器がCCUであれば低レベルの信号となる。そして、選択信号Ssのレベルの高低によって第２のスイッチング回路44にかける可動接点44cが選択的に切り換わることになる。
例えば、外部機器がVTRである場合は、マイコン201から高レベルの選択信号Ssが送られてくることから、第２のスイッチング回路44における可動接点44cは第１の固定接点44aと電気的に接続され、その出力端子φo1からは、第１のスイッチング回路42からの出力信号（白レベルが714mV,700mVおよび660.45mVのいずれかである輝度信号）Ｙが出力されることになる。一方、外部機器がCCUである場合は、マイコン201から低レベルの選択信号Ssが送られてくることから、第２のスイッチング回路44における可動接点44cは第２の固定接点44bと電気的に接続され、その出力端子φo1からは、第２のレベル変換回路43からの出力信号（白レベルが700mVである輝度信号）Ｙが出力されることになる。
なお、輝度信号用レベル変換回路31においては、第１のスイッチング回路42と第２のスイッチング回路44間の信号線において接点ａを介して第１のスイッチング回路42からの出力信号Ｙが別系統の回路系（例えばビューファインダの駆動回路系等）に送出されるようになっている。
次に、色差信号用レベル変換回路32,33は、それぞれ同じ達成を有するため、代表的に色差信号Ｒ−Ｙのレベル変換回路32を中心にその回路達成を説明する。
色差信号用レベル変換回路32は、0Vを中心とする色差信号をあるDcレベル（直流レベル）を中心とする色差信号とし、さらにこの色差信号の75％カラーバーにおける最大レベルと最小レベルとの差（以下、「ピーク間レベル」という）を単一のレベル（756mV）に変換する第１のレベル変換回路51と、0Vを中心とする色差信号をあるDCレベルを中心とする色差信号とし、さらにこの色差信号のピーク間レベルを単一のレベル（525mV）に変換する第２のレベル変換回路52とを有する。
また、色差信号用レベル変換回路32は、第１のレベル変換回路51からの色差信号を0Vを中心した色差信号に変換する結合コンデンサC1と、この結合コンデンサC1からの0Vを中心とする色差信号をあるDCレベルを中心とする色差信号とし、さらにこの色差信号のピーク間レベルを３種のレベル（756mV,700mV,525mV）に変換する第３のレベル変換回路53と、この第３のレベル変換回路53からの３種のレベルのうちいずれか１つのレベルに選択する第１のスイッチング回路54と、この第１のスイッチング回路54からの出力信号と第２のレベル変換回路52からの出力信号のうち１つの出力信号を選択する第２のスイッチング回路55と、この第２のスイッチング回路55からの色差信号を0Vを中心した色差信号に変換する結合コンデンサC2とを有する。
第１のレベル変換回路51は、コレクタ端子に電源電圧＋Ｖが印加され、ベース端子に色差信号Ｒ−Ｙが入力される駆動用のNPN形トランジスタQ3を有し、このトランジスタQ3のエミッタ端子と負電源（−Ｖ）間に１つの抵抗器R5が接続されて構成されている。そして、この第１のレベル変換回路51においては、抵抗器R5の電圧降下により、色差信号Ｒ−Ｙのピーク間レベルが756mVとなるように抵抗器R5の抵抗値が設定されている。
第２のレベル変換回路52は、コレクタ端子に電源電圧＋Ｖが印加され、ベース端子に色差信号Ｒ−Ｙが入力される駆動用のNPN形トランジスタQ4を有し、このトランジスタQ4のエミッタ端子と負電源（−Ｖ）間に１つの抵抗器R6が接続されて構成されている。そして、この第２のレベル変換回路52においては、抵抗器R6の電圧降下により、色差信号Ｒ−Ｙのピーク間レベルが525mVとなるように抵抗器R6の抵抗値が設定されている。
第３のレベル変換回路53は、コレクタ端子に電源電圧＋Ｖが印加され、ベース端子に第１のレベル変換回路51からのレベル変換後の色差信号が入力される駆動用のNPN形トランジスタQ5を有し、このトランジスタQ5のエミッタ端子と負電源（−Ｖ）間に３つの抵抗器R7,R8およびR9が直列接続されて構成されている。そして、この第３のレベル変換回路53においては、３つの抵抗器R7,R8およびR9による抵抗分圧比により、エミッタ端子から出力される信号のピーク間レベルが756mV、抵抗器R7およびR8間の接続点から出力される信号のピーク間レベルが700mV、抵抗器R7およびR9の接続点から出力される信号のピーク間レベルが525mVとなるように各抵抗器R7,R8およびR9の抵抗値が設定されている。
第１のスイッチング回路54は、第３のレベル変換回路53におけるトランジスタQ5のエミッタ端子に接続される第１の固定接点54aと、抵抗R7およびR8の接続点に接続される第２の固定接点54bと、抵抗器R8およびR9の接続点に接続される第３の固定接点54cと、出力側に接続される可動接点54dとを有して構成されている。可動接点54dは、スイッチング制御回路35からのスイッチング制御信号Sc2に基づいて第１〜第３の固定接点54a〜54cのうち、１つの固定接点と電気的に接続されるようになっている。
スイッチング制御回路35は、入力端子φi3に供給されるマイコン201からの仕向先データDcをデコードして、この仕向先データDcの示す内容に対応した属性を有するスイッチング制御信号Sc2を作成し、出力する。
具体的には、スイッチング制御回路35は、マイコン201から第１の仕向先（日本向け）を示す仕向先データDcが入力端子φi3を通じて送られてきた場合、可動接点54dを第２の固定接点54bに電気的に接続させるためのスイッチング制御信号Sc2を出力し、マイコン201から第２の仕向先（米国向け）を示す仕向先データDcが送られてきた場合、可動接点54dを第１の固定接点54aに電気的に接続させるためのスイッチング制御信号Sc2を出力し、マイコン201から第３の仕向先（欧州向け）を示す仕向先データDcが送られてきた場合、可動接点54dを第３の固定接点54cに電気的に接続させるためのスイッチング制御信号Sc2を出力する。
第２のスイッチング回路55は、第１のスイッチング回路54の可動接点54dに接続された第１の固定接点55aと、第２のレベル変換回路52におけるトランジスタQ4のエミッタ端子に接続された第２の固定接点55bと、出力側に接続される可動接点55cとを有して構成されている。
この第２のスイッチング回路55は、輝度信号用レベル変換回路31における第２のスイッチング回路44と同じように、マイコン201からの選択信号Ssに基づいて可動接点55cが切り換わるようになっている。
具体的には、輝度信号用レベル変換回路31における第２のスイッチング回路44と同様に、外部機器がVTRである場合は、マイコン201から高レベルの選択信号Ssが送られてくることから、第２のスイッチング回路55における可動接点55cは第１の固定接点55aと電気的に接続され、この可動接点55cからは、第１のスイッチング回路54からの出力信号（ピーク間レベルが756mV,700mVおよび525mVのいずれかである色差信号）Ｒ−Ｙが出力されることになる。
また、外部機器がCCUである場合は、マイコン201から低レベルの選択信号Ssが送られてくることから、第２のスイッチング回路55における可動接点55cは第２の固定接点55bと電気的に接続され、この可動接点55cからは、第２のレベル変換回路52からの出力信号（ピーク間レベルが525mVである色差信号）Ｒ−Ｙが出力されることになる。
そして、第２のスイッチング回路55からの色差信号Ｒ−Ｙは、後段の結合コンデンサC2において0Vを基準とする色差信号Ｒ−Ｙとなって出力端子φo2より出力されることになる。
もう一方の色差信号用レベル変換回路33においては、外部機器がVTRである場合は、マイコン201から高レベルの選択信号Ssが送られてくることから、第２のスイッチング回路55における可動接点55cは第１の固定接点55aと電気的に接続され、この可動接点55cからは、第１のスイッチング回路54からの出力信号（ピーク間レベルが756mV,700mV及び525mVのいずれかである色差信号）Ｂ−Ｙが出力されることになる。
また、外部機器がCCUである場合は、マイコン201から低レベルの選択信号Ssが送られてくることから、第２のスイッチング回路55における可動接点55cは第２の固定接点55bと電気的に接続され、この可動接点55cからは、第２のレベル変換回路52からの出力信号（ピーク間レベルが525mVである色差信号）Ｂ−Ｙが出力されることになる。
そして、この場合も、第２のスイッチング回路55からの色差信号Ｂ−Ｙは、後段の結合コンデンサC2において0Vを基準とする色差信号Ｂ−Ｙとなって出力端子φo3より出力されることになる。
なお、上述した２つの色差信号用レベル変換回路32,33においては、第１のレベル変換回路51から結合コンデンサC1を介して送られてくる色差信号Ｒ−Y,B−Ｙが、この結合コンデンサC1と第３のレベル変換回路53の間の信号線における接点ｂを介して別系統の回路系（例えばビューファインダの駆動回路系等）に送出されるようになっている。
したがって、別系統の回路系には、白レベルが714mV,700mV,660.45mVのうちいずれかである輝度信号Ｙと、0Vを中心としピーク間レベルが756mVの色差信号Ｒ−Y,B−Ｙが供給されることになる。色差信号が一律であるため、例えばその後の信号処理回路において再びR,G,Bの色信号Sr,Sg、Sbに分離する場合、簡単な回路構成を採用することができる。
次に、セットアップレベル信号付加回路207は、上述したようにレベル変換回路206と合成回路系208との間の信号線のうち、輝度信号Ｙが供給される信号線に挿入接続され、輝度信号Ｙのセットアップレベルを仕向先に応じて可変する回路である。第５図は、セットアップレベル信号付加回路207の構成例を示している。
セットアップレベル信号付加回路207は、マイコン201からのレベル制御データ（シルアルデータ）Dsuをアナログ変換して、データ値に対応したレベルの直流電圧Vsuに変換するコンバータ61と、このコンバータ61からの直流電圧Vsuまたは接地電圧Vssを選択的に出力するスイッチング回路62と、オペアンプ63にて構成される反転形加算器64と、ウィンドウパルス生成回路65を有して構成されている。コンバータ61としては、シリアルデータ対応の例えば10ビットD/A変換器等を用いることができる。レベル制御データDsuは、上述した接続機器情報データDmiと仕向先データに基づき、マイコン201にて形成される。
具体的には、レベル制御データDsuは、カメラアダプタ３に接続される外部機器がVTRである場合に有効で、かつ仕向先データが示す仕向先の規格（特にセットアップレベルの規格）に対応した値を示すようになっている。したがって、コンバータ61にてアナログ変換した場合に、このコンバータ61からは、セットアップレベルの規格に対応した値に応じた直流レベルを有する電圧信号Vsuが出力されることになる。
一方、外部機器がCCUの場合は、レベル制御データDsuはデータ無効とされ、この場合、「無効」を示すデータがマイコン201にて作成されて出力されることになる。この「無効」を示すデータは、コンバータ61が例えば10ビットD/A変換器である場合は、例えば16進表示で「000」あるいは「3FF」等を示すデータである。
コンバータ61として上述では10ビットD/A変換器を用いた例を示したが、その他、内部にROMおよびメモリ制御回路を有するD/A変換器を用いるようにしてもよい。この場合、ROMの記憶領域内に変換テーブル（レベル制御データDsuの値に対応した直流電圧値が格納されたテーブル）が登録され、この変換テーブルから読み出された直流電圧値がアナログ変換されて電圧信号Vsuとして出力されることになる。なお、この変換テーブルを用いた例としては、例えば、レベル制御データDsuの値を変換テーブルのレコードと対応させ、レベル制御データDsuの値に対応するレコードから直流電圧値を読み出すようにしてもよい。
スイッチング回路62は、コンバータ61の出力側に接続された第１の固定接点62aと、GNDに接続された第２の固定接点62bと、出力側（反転形加算器64の入力側）に接続された可動接点62cを有して構成されている。可動接点62cは、ウィンドウパルス生成回路65からのウィンドウパルスPw1に基づいて切り換わるようになっている。例えば、この可動接点62cは、ウィンドウパルスPw1が高レベルの期間において第１の固定接点62a側に切り換わり、低レベルの期間において第２の固定接点62b側に切り換わるようになっている。
ウィンドウパルス生成回路65は、同期信号生成回路67からの水平同期信号HDの入力に基づいて、クロック発生器66からの基準クロックPcを計数し、輝度信号Ｙのセットアップ期間の開始時点において立ち上がり、セットアップ期間の終了時点において立ち下がるウィンドウパルスPw1を生成して出力する。すなわち、ウィンドウパルス生成回路65にて生成されるウィンドウパルスPw1は、セットアップレベルが挿入される期間のみ高レベルとなるパルス信号である。なお、クロック発生器66は水晶振動子と分周回路等にて構成される。また、同期信号生成回路67は、クロック発生器66からの基準クロックPcに基づいて水平同期信号等の各種同期信号を生成する。
移動の構成により、ウィンドウパルス生成回路65から出力されるウィンドウパルスPw1が高レベルとなっている期間、すなわちセットアップ期間においてコンバータ61からの直流電圧Vsuがスイッチング回路62を通じて後段の反転形加算器64に供給され、それ以外の期間においては接地電圧Vssが反転形加算器64に供給されることになる。ただし、マイコン201からのレベル制御データDsuが「無効」データである場合は、セットアップ期間においても接地電圧Vssが後段の反転形加算器64に供給されることになる。
本例においては、仕向先として日本、米国および欧州を想定しているが、輝度信号Ｙのセットアップレベルは、日本および欧州が０％、米国が7.5％である（別紙表１参照）。そのため、実際には、撮像ブロック12のEEPROM129に格納されている仕向先データが米国を示す場合のみ、レベル制御データDsuが実質的に有効となる。すなわち、仕向先が米国の場合のみ、レベル制御データDsuが白レベルの7.5％に相当する値となり、仕向先が日本および欧州の場合は、レベル制御データDsuとして白レベルの０％、すなわち等価的に「無効」を示すデータがコンバータ61に供給されることになる。
反転形加算器64は、スイッチング回路62の出力側に接続された抵抗器Raと、輝度信号Ｙが供給される入力端子φiaの後段に接続された抵抗器Rbと、オペアンプ63と、帰還用抵抗器Rfとを有し、これら３つの抵抗器Ra,RbおよびRfは接点ｃを通じてオペアンプ63の反転端子に接続されて構成されている。なお、オペアンプ63の非反転端子は接地されている。
この反転形加算器64の出力電圧Voは、
Vo＝−｛（Rf/Ra）Vsu＋（Rf/Rb）Ｙ｝
となり、特にR1＝R2＝Rfの場合、
Vo＝−（Vsu＋Ｙ）
となる。すなわち、出力端子φoaから出力される信号Voは、レベル変換回路206から出力される輝度信号Ｙにセットアップレベルの電圧信号Vsuが付加された信号形態となる。
次に、合成回路系208は、輝度信号Ｙに同期信号を付加すると共に、色差信号Ｒ−Y,B−Ｙを変調処理して搬送色信号を形成し、さらに同期信号が付加された輝度信号Ｙと搬送色信号とを合成してコンポジット映像信号Svを得るための合成回路209と、この合成回路209より出力されるコンポジット映像信号に各種必要な信号を選択的に付加するための信号付加回路210とを有している。なお、合成回路209については、既知の回路構成を採用できるため、その詳細説明は省略する。
信号付加回路210は、前段の合成回路209にて形成されるコンポジット映像信号の垂直ブランキング期間にAGC用のサンプルパルスPsm（第６図参照）を付加するためのサンプルパルス付加回路211と、このサンプルパルス付加回路211の出力信号にCCUとの同期をとるための同期信号SYNCを付加するSYNC付加回路212とから構成される。なお、サンプルパルスPsmは、コンポジット映像信号Svの減衰状態を検出するために使用される。
サンプルパルス付加回路211は、上述したセットアップレベル信号付加回路207とほぼ同様の構成を有する。第７図は、サンプルパルス付加回路211の構成例を示している。
サンプルパルス付加回路211は、マイコン201からのサンプルパルスデータ（シルアルデータ）Dspをアナログ変換して、データ値に対応したレベルの直流電圧Vspにするコンバータ73と、このコンバータ73からの直流電圧Dspまたは接地電圧Vssを選択的に出力するスイッチング回路74と、オペアンプ75にて構成される反転形加算器76と、サンプルパルス生成回路77を有して構成されている。
サンプルパルスデータDspは、カメラ本体２に接続されるカメラアダプタ３の信号入出力回路45からのパルス振幅データDa（CCUにて設定される）に基づいてマイコン201にて形成される。具体的には、このサンプルパルスデータDspは、カメラアダプタ３に接続される外部機器がCCUである場合に有効で、かつパルス振幅データDaを含んだものとなっている。従って、コンバータ73にてアナログ変換した場合に、このコンバータ73からは、サンプルパルスデータDspに含まれるパルス振幅データDaの値に応じた直流レベルを有する電圧信号Vspが出力されることになる。
一方、外部機器がVTRの場合は、サンプルパルスデータDspはデータ無効とされ、この場合、「無効」を示すデータがマイコン201にて作成されて出力されることになる。この「無効」を示すデータは、コンバータ73が例えば10ビットD/A変換器である場合は、例えば16進表示で「000」あるいは「3FF」等を示すデータである。なお、このコンバータ73の構成としては、セットアップレベル信号付加回路207の場合と同様に、シリアルデータ対応の10ビットD/A変換器のほか、内部にROM（変換テーブルが登録されている）およびメモリ制御回路を有するD/A変換器を用いるようにしてもよい。
スイッチング回路74は、コンバータ73の出力側に接続された第１の固定接点74aと、GNDに接続された第２の固定接点74bと、出力側（反転形加算器76の入力側）に接続された可動接点74cを有して構成されている。可動接点74cは、サンプルパルス生成回路77からのサンプルパルスPspに基づいて切り換わるようになっている。例えば、この可動接点74cは、サンプルパルスPspが高レベルの期間において第１の固定接点74a側に切り換わり、低レベルの期間において第２の固定接点74b側に切り換わるようになっている。
サンプルパルス生成回路77は、同期信号生成回路67からの水平同期信号HDの入力に基づいて、クロック発生器66からの基準クロックPcを計数して、コンポジット映像信号Svのサンプルパルス付加期間の開始時点において立ち上がり、サンプルパルス付加期間の終了時点において立ち下がるサンプルパルスPspを生成して出力する。すなわち、サンプルパルス生成回路77にて生成されるサンプルパルスPspは、サンプルパルス付加期間のみ高レベルとなるパルス信号である。
以上の構成により、サンプルパルス生成回路77から出力されるサンプルパルスPspが高レベルとなっている期間、すなわちサンプルパルス付加期間においてコンバータ73からの直流電圧Vspがスイッチング回路74を通じて後段の反転形加算器76に供給され、それ以外の期間においては接地電圧Vssが反転形加算器76に供給されることになる。ただし、マイコン201からのサンプルパルスデータDspが「無効」データである場合は、サンプルパルス付加期間においても接地電圧Vssが後段の反転形加算器76に供給されることになる。
したがって、反転形加算器76の出力端子φobから出力される信号Voは、反転形加算器76の入力端子φibに供給される合成回路209からのコンポジット映像信号Svにレベルが可変とされたサンプルパルスVspが付加された信号形態となる。
通常、放送用カメラの場合、ビデオカメラの後段にCCUが接続されるが、このCCUにおいて、ケーブル長補償を行なう際、CCUの後段に接続される機器の種類、ケーブル長によっては信号の減衰が大きい場合があり、サンプルパルスPsm自体が消失してコンポジット映像信号SvのAGCによる再現が不可能になる場合が想定される。
しかし、本例においては、CCUにて例えば操作者が設定したパルス振幅に応じた振幅を有するサンプルパルスVspがコンポジット映像信号Svに付加されることになるため、上述したようなサンプルパルス自体の消失は回避される。
次に、SYNC付加回路212は、上述したサンプルパルス付加回路211とほぼ同様の構成を有する。第８図は、SYNC付加回路212の構成例を示している。
SYNC付加回路212は、マイコン201からのSYNCデータ（シリアルデータ）Dsyをアナログ変換して、データ値に対応したレベルの直流電圧Vsyにするコンバータ81と、コンバータ81からの直流電圧Vsyまたは接地電圧Vssを選択的に出力するスイッチング回路82と、オペアンプ83にて構成される反転形加算器84と、ウィンドウパルス生成回路85を有して構成されている。
SYNCデータDsyは、上述した接続機器情報データDmiに基づいてマイコン201にて形成される。具体的には、このSYNCデータDsyは、カメラアダプタ３に接続される外部機器がCCUである場合に有効で、かつ接続機器情報データDmiに含まれるSYNC振幅データ（CCU毎に異なる）を有するデータ形態となっている。したがって、コンバータ81にてアナログ変換した場合に、このコンバータ81からは、SYNCデータDsyに含まれるSYNC振幅データの値に応じた直流レベルを有する電圧信号Vsyが出力されることになる。
一方、外部機器がVTRの場合は、SYNCデータDsyはデータ無効とされ、この場合、「無効」を示すデータがマイコン201にて形成されて出力されることになる。この「無効」を示すデータは、コンバータ81が例えば10ビットD/A変換器である場合は、例えば16進表示で「000」あるいは「3FF」等を示すデータである。なお、このコンバータ81の構成としては、サンプルパルス付加回路211の場合と同様に、シルアルデータ対応の10ビットD/A変換器のほか、内部にROM（変換テーブルが登録されている）およびメモリ制御回路を有するD/A変換器を用いるようにしてもよい。
スイッチング回路82は、コンバータ81に出力側に接続された第１の固定接点82aと、GNDに接続された第２の固定接点82bと、出力側（反転形加算器84の入力側）に接続された可動接点82cを有して構成されている。可動接点82cは、ウィンドウパルス生成回路85からのウィンドウパルスPw2に基づいて切り換わるようになっている。例えば、この可動接点82cは、ウィンドウパルスPw2が高レベルの期間において第１の固定接点82a側に切り換わり、低レベルの期間において第２の固定接点82b側に切り換わるようになっている。
ウィンドウパルス生成回路85は、同期信号生成回路67からの水平同期信号HDの入力に基づいて、クロック発生器66からの基準クロックPcを計数して、コンポジット映像信号SvのSYNC付加期間の開始時点において立ち上がり、SYNC付加期間の終了時点において立ち下がるウィンドウパルスPw2を生成して出力する。すなわち、ウィンドウパルス生成回路85にて生成されるウィンドウパルスPw2は、SYNC付加期間のみ高レベルとなるパルス信号である。
以上の構成により、ウィンドウパルス生成回路85から出力されるウィンドウパルスPw2が高レベルとなっいてる期間、すなわちSYNC付加期間においてコンバータ81からの電流電圧Vsyがスイッチング回路82を通じて後段の反転形加算器84に供給され、それ以外の期間においては接地電圧Vssが反転形加算器84に供給されることになる。ただし、マイコン201からのSYNCデータが「無効」データである場合は、SYNC付加期間においても接地電圧Vssが後段の加算器84に供給されることになる。
したがって、この反転形加算器84の出力端子φocから出力される信号Voは、反転形加算器76の入力端子φicに供給されるサンプルパルス付加回路211からのコンポジット映像信号Svにレベルが可変とされた同期信号SYNC（直流電圧Vsy）が付加された信号形態となる。
次に、マイコン201の構成および動作について第９図〜第14図を参照しながら説明する。第９図は、マイコン201のハード構成を示している。マイコン201は、各種プログラムが格納されたプログラムROM91と、このプログラムROM91から読み出されたプログラムの動作用として用いられる動作用RAM92と、カメラアダプタ３の信号入出力回路45および光学ヘッド部１の撮像ブロック12におけるEEPROM129からの各種データやプログラムによってデータ加工されたデータ等が格納されるデータRAM93と、カメラアダプタ３、光学ヘッド部１の撮像ブロック12および外部回路（レベル変換回路206、セットアップレベル信号付加回路207、サンプルパルス付加回路211、SYNC付加回路212、処理回路202R,202G,202B）に対してデータの入出力を行なう入力ポート94および出力ポート95と、これら各種回路を制御するCPU（制御装置および論理演算装置）96とを有して構成されている。
上述のCPU96で制御される各種回路は、CPU96から導出されたデータバスDBを介して各回路間のデータの受渡しが行なわれ、さらにCPU96から導出された制御バス（図示せず）を介してそれぞれCPU96にて制御されるように構成されている。
カメラアダプタ３の信号入出力回路45からインターフェースバスを介して入力される接続機器情報データDmi、パルス振幅データDaおよび撮像ブロック12のEEPROM129からインターフェースバスを介して入力されるセットアップデータは、入力ポート94を介してデータバスDBに供給されるようになっている。また、データRAM93に格納されたデータは、出力ポート95を介して外部回路に供給されるようになっている。
次に、本例のビデオカメラの動作を、マイコン201の動作を主体にし、第10図で示す機能ブロックおよび第11図〜第14図で示すフローチャートに基づいて説明する。
まず、第11図で示すステップST1において、電源投入と同時に初期動作、例えばビデオカメラ内のシステムチェックやメモリチェックおよびハードウェアの初期化等が行なわれる。
その後、ステップST2において、プログラムROM91から、外部回路に対してスイッチング動作を行なうスイッチング処理手段101であるスイッチング処理プログラムが読み出されて動作用RAM92に書き込まれると同時に、スイッチング処理プログラムの動作中において生成されたデータを一時的に保存するためや、そのスイッチング処理プログラムを構成する各ルーチン間のパラメータの受渡しなどに用いられる作業領域が動作用RAM92中に割り付けられる。
また、データRAM93に、光学ヘッド部１の撮像ブロック12におけるEEPROM129により読み出されるセットアップデータ（別紙表２参照）が格納される領域と、カメラアダプタ３の信号入出力回路45に内蔵されたROM45aからの接続機器情報データDmiが格納される領域と、CCUからカメラアダプタ３を介して送られるパルス振幅データDaが格納される領域等が割り付けられる。
動作用RAM92に書き込まれたスイッチング処理プログラム101は、第10図に示すように、各種判別を行なう判別手段102と、光学ヘッド部１およびカメラアダプタ３の装着状態を検知するセンサ103および104（第９図参照）からの検知信号や、カメラ本体２の処理回路202R,202G,202Bにおけるレベル検出器321からのレベル検出信号を入力する検知信号入力手段105と、光学ヘッド部１の撮像ブロック12におけるEEPROM129からのセットアップデータ、カメラアダプタ３の信号入出力回路45に内蔵されたROM45aからの接続機器情報データDmiを読み出してそれぞれ対応する領域に格納するデータ読出し手段106とを有している。
また、スイッチング処理プログラム101は、EEPROM129より読み出されてデータRAM93に格納された各種データやレベル検出器321からのレベル検出信号に基づいて、光学ヘッド部１の撮像ブロックやカメラ本体２の処理回路202R,202G,202Bの動作を制御するためのセットアップデータまたはこのセットアップデータから作成される仕向先データDc等の制御データを出力する制御データ作成手段107と、カメラアダプタ３の信号入出力回路45に内蔵されたROM45aより読み出されてデータRAM93に格納された接続機器情報データDmiに基づいて選択信号Ssを作成して出力する選択信号作成手段108とを有している。
さらに、スイッチング処理プログラム101は、接続機器情報データDmiと仕向先データに基づいてレベル制御データDsuを作成して出力するレベル制御データ作成手段109と、接続機器情報データDmiとパルス振幅データDaに基づいてサンプルパルスデータDspを作成して出力するサンプルパルスデータ作成手段110と、接続機器情報データDmiと仕向先データに基づいてSYNCデータDsyを作成して出力するSYNCデータ作成手段111とを有している。
そして、このスイッチング処理プログラム101は、まず、次のステップST3において、判別手段102を通じて、光学ヘッド部（OHB）１がカメラ本体２に装着されているかどうかの判別をする。この判別は、検知信号入力手段105を通じて供給される光学ヘッド部１の装着を検知するセンサ103からの検知信号に基づいて行なわれる。例えば、光学ヘッド部１がカメラ本体２に装着されていない場合は低レベルの検知信号が入力され、装着されている場合は、高レベルの検知信号が入力される。したがって、この判別手段102では、入力された検知信号のレベルの高低によって光学ヘッド部１の装着、非装着が判別される。
なお、光学ヘッド部（OHB）１がカメラ本体２に装着されているかどうかの判別をセンサ103からの検知信号ではなく、撮像ブロック12のタイミング発生器126の端子126aに得られるIT型であるかFIT型であるかを示すデータの取得が可能であるか否かによって判別してもよい。
光学ヘッド部１が装着されている場合は、次のステップST4に進み、データ読出し手段106を通じて、光学ヘッド部１の撮像ブロック12におけるEEPROM129に対して撮像ブロック（CCDブロック）12のシリアル番号データ（別紙表２参照）の読出し要求（読出し指令）を出力ポート95を介して出力する。これによりEEPROM129により撮像ブロック12のシリアル番号データが読み出されてマイコン201側に送出される。
次に、ステップST5において、撮像ブロック12のシリアル信号が前回と比べて変化しているか否か判別する。シリアル番号が変化していないときは、ステップST6において、データ読出し手段106を通じて、光学ヘッド部１の撮像ブロック12におけるEEPROM129に対して、ホワイトシェーディングデータを除く全てのデータの読出し要求（読出し指令）を出力ポート95を介して出力する。これによりEEPROM129よりホワイトシェーディングデータを除く全てのデータが読み出されてマイコン201側に送出される。
一方、シリアル番号が変化しているときは、ステップST7において、データ読出し手段106を通じて、光学ヘッド部１の撮像ブロック12におけるEEPROM129に対して全てのデータの読出し要求（読出し指令）を出力ポート95を介して出力する。これによりEEPROM129より全てのデータが読み出されてマイコン201側に送出される。
ホワイトシェーディングデータはデータ量が多くEEPROM129からの読み出し時間が比較的長くなるため、シリアル番号が変化したときのみ読み出しするようにしている。なお、マイコン201のデータRAM93は例えば電池でバックアップされているため、パワーオフ時にも記憶内容は保持されている。
次に、ステップST8において、データ読み出し手段106を通じて、上述したように撮像ブロック12のEEPROM129より送出されてくるセットアップデータを入力ポート94を介して読み出し、この読み出したセットアップデータをデータRAM93に格納する。
次に、ステップST9において、データRAM93に格納されたセットアップデータに基づいて、セットアップ動作をする。この場合、制御データ作成手段107を通じて光学ヘッド部１の撮像ブロック部12、カメラ本体２の処理回路202R,202G,202B等に出力ポートを介してセットアップデータを供給することでセットアップ動作を実行する。
例えば、EEPROM129に格納されていた撮像素子121R,121G,121Bの基板クロック電圧データおよびリセットゲートクロック電圧データを撮像ブロック12のCCDドライバ122に供給し、基板クロック電圧Vsubおよびリセットゲートクロック電圧Vrgを設定してCCDドライバ122をセットアップする。また、EEPROM129に格納されていたVCOオフセットデータを撮像ブロック12の電圧制御発振器125に供給し、基準クロックの周波数が一定となるように電圧制御発振器125をセットアップする。また、EEPROM129に格納されていたBLKオフセットデータを撮像ブロック12のタイミング発生器126に供給し、これによりタイミング発生器126からプリアンプ回路123R,123G,123Bにダーク補正を行うためのオフセットデータを供給してプリアンプ123R,123G,123Bをセットアップする。
また、EEPROM129に格納されていたホワイトオフセットデータをカメラ本体２のゲイン制御アンプ305R,305Bに供給し、これらゲイン制御アンプ305R,305Bをセットアップする。また、EEPROM129に格納されていたホワイトシェーディングデータをホワイトシェーディング発生器311に供給し、これに基づいてホワイトシェーディング発生器311より撮像素子121R,121G,121Bのホワイトシェーディングに対応した補正波形信号を供給してホワイトシェーディング補正回路310R,310G,310Bをセットアップする。またEEPROM129に格納されていたマスキングデータをリニアマトリックス回路314に供給し、このリニアマトリックス回路314をセットアップする。またEEPROM129に格納されていたアスペクト比データを切り出し回路203および電子ビューファインダ205に供給して、これら切り出し回路203および電子ビューファインダ205をセットアップする。
次に、ステップST10において、判別手段102を通じて、カメラアダプタ３がカメラ本体２に装着されているかどうかの判別をする。この判別は、検知信号入力手段105を通じて供給されるカメラアダプタ３の装着を検知するセンサ104からの検知信号に基づいて行なわれる。例えば、カメラアダプタ３がカメラ本体２に装着されていない場合は低レベルの検知信号が入力され、装着されている場合は、高レベルの検知信号が入力される。したがって、この判別手段102では、入力された検知信号のレベルの高低によってカメラアダプタ３の装着、非装着が判別される。
カメラアダプタ３が装着されている場合は、次のステップST11に進み、データ読出し手段106を通じて、カメラアダプタ３の信号入出力回路45に対して接続機器がどのようなものであるかを示す接続機器情報データDmiの読出し要求（読出し指令）を出力ポート95を介して出力する。カメラアダプタ３の信号入出力回路45は、マイコン201からのデータ読出し要求に従って、内蔵のROM45aより接続機器情報データDmiを読み出しマイコン201側に送出する。
次に、ステップST12において、データ読出し手段106を通じて、カメラアダプタ３から送られてくる接続機器情報データDmiを入力ポート94を介して読み出し、この読み出した接続機器情報データDmiをデータRAM93に格納する。
次に、ステップST13において、制御データ作成手段107および選択信号作成手段108を通じて、レベル変換回路206にセットアップ動作のために送るべき仕向先データDcおよび選択信号Ssを作成し、出力ポート95を介してレベル変換回路に出力する。
具体的には、撮像ブロック12のEEPROM129より読み出されてマイコン201のデータRAM93に格納されている仕向先データが示す仕向先を単一コードに変換して仕向先データDcを作成する。例えば仕向先が日本であればコード「01」、米国であればコード「10」、欧州であればコード「11」を仕向先データDcとして作成し、出力ポート95を介してレベル変換回路206のスイッチング制御回路34,35に供給する。
また、マイコン201のデータRAM93に格納されている接続機器情報データDmiに基づいて、高レベルあるいは低レベルの選択信号Ssを作成する。例えば、接続機器情報データDmiがVTRを示す場合は高レベルの選択信号Ssとなり、接続機器情報データDmiがCCUを示す場合は低レベルの選択信号Ssとなる。この選択信号Ssを、出力ポート95を介してレベル変換回路206における第２のスイッチング回路44,55に供給する。
ところで、カメラ本体２においては、前段の光学ヘッド部１の撮像ブロック12における撮像素子121R,121G,121Bからの撮像信号がそれぞれ処理回路202R,202G,202Bにおいて信号処理されてR,G,Bの色信号Sr,Sg,Sbに変換され、さらにこれら色信号Sr,Sg,Sgは後段のマトリックス回路204で輝度信号Ｙおよび色差信号Ｒ−Y,B−Ｙに変換される。
これら輝度信号Ｙおよび色差信号Ｒ−Y,B−Ｙは、後段のレベル変換回路206において、仕向先に応じたレベルに変換されることになる。すなわち、レベル変換回路206においては、既に述べたように、ステップST13の処理により、スイッチング制御回路34,35にそれぞれ仕向先データDcが供給され、第２のスイッチング回路44,55に選択信号Ssが供給される。
ここで、選択信号SsがCCUを示す場合、すなわち低レベルの信号の場合は、輝度信号Ｙについては、第２のレベル変換回路43からの白レベルが700mVの輝度信号Ｙが第２のスイッチング回路44を通じて出力されることになり、また、色差信号Ｒ−Y,B−Ｙについては、第２のレベル変換回路52からのピーク間レベルが525mVの色差信号Ｒ−Y,B−Ｙがそれぞれ第２のスイッチング回路55を通じて出力されることになる。
一方、選択信号SsがVTRを示す場合、すなわち高レベルの信号の場合は、輝度信号Ｙについては、第１のレベル変換回路41および第１のスイッチング回路42においてスイッチング制御回路34からのスイッチング制御信号Sc1に基づいて選択された白レベル、すなわちマイコン201からの仕向先データDcの内容が日本向けを示す場合は714mV、米国向けを示す場合は660.45mV、欧州を示す場合は700mVの輝度信号Ｙが第２のスイッチング回路44を通じて出力されることになる。
また、色差信号Ｒ−Y,B−Ｙについては、第３のレベル変換回路53および第１のスイッチング回路54においてスイッチング制御回路35からのスイッチング制御信号Sc2に基づいて選択されたピーク間レベル、すなわちマイコン201からの仕向先データDcの内容が日本向けを示す場合は700mV、米国向けを示す場合は756mV、欧州を示す場合は525mVの色差信号Ｒ−Y,B−Ｙが第２のスイッチング回路55を通じて出力されることになる。
再びフローチャートの説明に戻って、次のステップST14において、レベル制御データ作成手段109であるレベル制御データ作成サブルーチンに入る。このサブルーチンは、第12図に示すように、まず、ステップST101において、判別手段102を通じて、カメラアダプタ３に接続されている外部機器がVTRであるかどうかを判別する。この判別は、マイコン201のデータRAM93に格納されている接続機器情報データDmiの内容に基づいて行なわれる。
接続機器情報データDmiの内容がVTRである場合は、次のステップST102に進み、レベル制御データDsuを作成する。具体的には、仕向先データのうち、セットアップレベルの規格（日本向けおよび欧州向け＝白レベルの０％，米国向け＝白レベルの7.5％）に対応した値を10ビットのシリアルデータにしてレベル制御データDsuとする。
ステップST101において、外部機器がCCUであると判別された場合は、ステップST103に進み、無効データを作成する。具体的には、16進表示で「000」あるいは「3FF」の10ビットのシリアルデータを無効データとする。なお、上記ステップST102において、仕向先が日本あるいは欧州の場合は、16進表示で「000」がレベル制御データDsuとなるため、無効データと等価になる。
ステップST102またはST103の処理を終えると、次のステップST104に進み、レベル制御データDsuあるいは無効データを出力するポート95を介してセットアップレベル信号付加回路207のコンバータ61に出力することにより、このレベル制御データ作成サブルーチンを終了する。
上述したレベル制御データ作成手段109の処理によって、カメラアダプタ３に接続されている外部機器がCCUの場合に、仕向先が米国の場合にのみ、輝度信号Ｙに対してセットアップレベル（白レベルの7.5％のレベル）の電圧信号が付加されることになる。これにより、米国向けにおける輝度信号Ｙの白レベルは714mVとなる。
第11図のメインルーチンに戻り、次のステップST15において、サンプルパルスデータ作成手段110であるサンプルパルスデータ作成サブルーチンに入る。このサブルーチンは、第13図に示すように、まず、ステップST201において、判別手段102を通じて、カメラアダプタ３に接続されている外部機器がCCUであるかどうかを判別する。この判別は、マイコン201のデータRAM93に格納されている接続機器情報データDmiの内容に基づいて行なわれる。
接続機器情報データDmiの内容がCCUである場合は、次のステップST202に進み、データ読出し手段106を通じて、カメラアダプタ３の信号入出力回路45に対してパルス振幅データDaの読出し要求（読出し指令）を出力ポート95を介して出力する。カメラアダプタ３の信号入出力回路45は、マイコン201からのデータ読出し要求に従って、CCUより送られてくるパルス振幅データDaをマイコン201側に送出する。
次に、ステップST203において、データ読出し手段106を通じて、カメラアダプタ３から送られてくるパルス振幅データDaを入力ポート94を介して読み出し、この読み出したパルス振幅データDaをデータRAM93に格納する。
次に、ステップST204において、サンプルパルスデータDspを作成する。具体的には、データRAM93に格納されているパルス振幅データDaの値を10ビットのシリアルデータにしてサンプルパルスデータDspとする。
ステップST201において、外部機器がVTRであると判別された場合は、ステップST205に進み、無効データを作成する。具体的には、16進表示で「000」あるいは「3FF」の10ビットのシリアルデータを無効データとする。
ステップST204またはST205の処理を終えると、次のステップST206に進み、サンプルパルスデータDspあるいは無効データを出力ポート95を介してサンプルパルス付加回路211のコンバータ73に出力することにより、このサンプルパルスデータ作成サブルーチンを終了する。
サンプルパルスデータ作成手段110の処理によって、カメラアダプタ３に接続されている外部機器がCCUの場合に、CCUにて設定されたサンプルパルスのパルス振幅に応じた振幅のサンプルパルスが合成回路209からのコンポジット映像信号Svに付加されることになる。
第11図のメインルーチンに戻り、次のステップST16において、SYNCデータ作成手段111であるSYNCデータ作成サブルーチンに入る。このサブルーチンは、第14図に示すように、まず、ステップST301において、判別手段102を通じて、カメラアダプタ３に接続されている外部機器がCCUであるかどうかを判別する。この判別は、マイコン201のデータRAM93に格納されている接続機器情報データDmiの内容に基づいて行なわれる。
接続機器情報データDmiの内容がCCUである場合は、次のステップST302に進み、SYNCデータDsyを作成する。具体的には、接続機器情報データDmiに含まれるSYNC振幅データの値を10ビットのシリアルデータにしてSYNCデータDsyとする。
ステップST301において、外部機器がVTRであると判別された場合は、ステップST303に進み、無効データを作成する。具体的には、16進表示で「000」あるいは「3FF」の10ビットのシリアルデータを無効データとする。
ステップST302またはST303の処理を終えると、次のステップST304に進み、SYNCデータDsyあるいは無効データを出力ポート95を介してSYNC付加回路212のコンバータ81に出力することにより、このSYNCデータ作成サブルーチンを終了する。
SYNCデータ作成手段111の処理によって、カメラアダプタ３に接続されている外部機器がCCUの場合に、カメラアダプタ３に接続されるCCUに対応した振幅を有する同期信号SYNCがコンポジット映像信号Svに付加されることになる。
第11図のメインルーチンに戻り、次のステップST17において、上述した各ステップの処理でエラーがあったか否かを判別する。上述したステップST3で光学ヘッド部１が装着されていないときやステップST10でカメラアダプタ３が装着されていないときは、ステップST17でエラーがあったと判別される。ステップST17において、エラーがないと判別するときは、ステップST18に進み、セットアップ動作を終了して通常処理に移行する。一方、ステップST17でエラーがあると判別するときは、ステップST3に戻って、上述した各ステップの処理を繰り返すことになる。
また、パワーオンの状態で、マイコン201にカメラアダプタ３を介して接続されるCCU（実際は、CCUに接続された操作パネル）を操作することで、マイコン201より光学ヘッド１の撮像ブロック12およびカメラ本体２の各回路にCCUの操作に応じた制御データが供給される。
これにより、タイミング発生器126には電子シャッターのシャッター時間やフィールド読み出しやフレーム読み出し等の読み出し方式を制御する制御データを供給できる。また、タイミング発生器126にはダーク補正のための制御データを供給できる。なお、ダーク補正は、タイミング発生器126よりプリアンプ回路123R,123G,123Bにダーク補正用のオフセットデータが供給されることで行われる。また、電圧制御発振器125には基準クロックの周波数を調整するための制御データを供給でき、基準クロックの周波数を調整できる。また、フィルタディスクユニット128にはNDフィルタやCCフィルタの挿入切り換えを行うための制御データを供給できる。また、ゲインセレクト回路306R,306G,306Bにはゲイン選択を行うための制御データを供給できる。また、ブラックシェーディング発生器303に制御データを供給してブラックシェーディング等を良好に補正し得る補正波形信号を形成させることができる。
また、ゲイン制御アンプ305R,305G,305BにはNDフィルタの挿入によるR,G,Bの色信号のバランスのずれの補正やホワイトバランス調整をする制御データを供給できる。また、ホワイトシェーディング発生器311に制御データを供給してホワイトシェーディング等を良好に補正し得る補正波形信号を形成させることができる。また、フレア補正回路312R,312G,312Bにはフレア補正を行うための制御データを供給でき、リニアマトリックス回路314には補正処理を行うための制御データを供給できる。
なお、撮像ブロック12のEEPROM129より読み出されてカメラ本体２のマイコン201に供給されるデータは上述したCCUに供給されて表示されるようにしてもよい。また、上述したようにパワーオンの状態でCCUを操作することによって変更されるホワイトシェーディングデータ、電圧制御発振器のVCOオフセットデータ、色分解プリズムの色分解特性を示すマスキングデータ、NDフィルタ挿入時のホワイトオフセットデータ等をカメラ本体２のマイコン201より撮像ブロック12のEEPROM129に格納（ストア）することもできる。これはCCUの操作でもってストアを命令することで行われる。これにより、撮像ブロック12のEEPROM129に撮像ブロック12を構成する撮像素子121R,121G,121Bや色分解プリズム120等の特性に合った最適なセットアップデータを格納することができる。また、パワーオン状態では、EEPROM129に格納されていたNDフィルタデータ、CCフィルタデータ、色温度データ、IRフィルタデータに基づき、必要に応じて使用フィルタのデータ等を電子ビューファインダ205に表示するようにしてもよい。
以上説明したように本例においては、パワーオン時に撮像ブロック12のEEPROM129に格納されているセットアップデータがカメラ本体２のマイコン201で読み出され、そのセットアップデータに基づいて撮像ブロック12やカメラ本体２の各回路が制御されて自動的にセットアップが行われる。
これにより、撮像ブロック12のCCDドライバ122では、EEPROM129に格納されていた基板クロック電圧データおよびリセットゲートクロック電圧データに基づいて基板クロック電圧Vsubやリセットゲートクロック電圧Vrgのバイアス電圧が設定される。また、撮像ブロック12の電圧制御発振器125では、EEPROM129に格納されていたVCOオフセットデータに基づいて基準クロックの周波数が一定となるように設定される。また、撮像ブロック12のプリアンプ回路123R,123G,123Bでは、EEPROM129に格納されていたBLKオフセットデータに基づいてタイミング発生器126より供給されるダーク補正のためのオフセットデータによってダーク補正が行われる。
また、カメラ本体２のゲイン制御アンプ305R,305G,305BではEEPROM129に格納されていたホワイトオフセットデータに基づいてNDフィルタの挿入によるR,G,Bの色信号のバランスのずれが補正される。また、ホワイトシェーディング補正回路310R,310G,310Bでは、EEPROM129に格納されていたホワイトシェーディングデータに基づいてカメラ本体２のホワイトシェーディング発生器311より発生されるホワイトシェーディングの補正波形信号によってホワイトシェーディングの補正が行われる。また、リニアマトリックス回路314では、EEPROM129に格納されていたマスキングデータに基づいて色分解プリズム120の分光感度のバラツキによる色合いの違いが補正される。また、マイコン201では、EEPROM129に格納されていた撮像素子121R,121G,121Bのアスペクト比のデータに基づいて、アイリス調整やホワイトバランス調整における検出枠の設定等が行われる。
そのため、撮像ブロック12を交換しても、EEPROM129に格納されているセットアップに関する項目に関してはカメラ本体２側で調整しなくてもよくなる。したがって、ユーザは撮像ブロック12を容易に交換でき、用途に応じた撮像ブロック12の交換や撮像ブロック12のバージョンアップ等に容易に対処できる。
また本例においては、撮像ブロック12がEEPROM129に撮像素子121R,121G,121Bおよび光学系の特性のバラツキを補正するデータを有するので、撮像ブロック12が自己完結型となり、１つの商品として扱うことができ、しかもカメラ本体２のディジタル化に際してもそのまま使用することができる。
また、本例においては、マトリックス回路204の後段に接続されたレベル変換回路206において、マトリックス回路204からの輝度信号Ｙの白レベルおよび色差信号Ｒ−Y,B−Ｙのピーク間レベルが仕向先に応じたレベルに変換されるため、仕向先別に複数の回路基板を用意するということがなくなり、回路基板を含めてカメラ部の構成を統一することができる。これは、ビデオカメラの生産性の向上につながる。また、仕向先を変更するたびに、いちいち仕向先の規格に適合した回路基板に組み替えるというめんどうな作業が不要となるため、ビデオカメラのサービス性の向上につながる。
また、本例においては、合成回路209の後段にコンポジット映像信号Svの伝送における減衰レベルを検出するために用いられるAGC用のサンプルパルスをコンポジット映像信号Svに付加するサンプルパルス付加回路211を接続するようしたので、従来、カメラアダプタ３に組み込まれていたサンプルパルスを付加するための回路を削減することができ、カメラアダプタ３のコスト削減を図ることができる。
通常、放送用カメラの場合、ビデオカメラの後段にCCUが接続されるが、このCCUにおいて、ケーブル長補償を行なう際、CCUの後段に接続される機器の種類、ケーブル長によっては、信号の減衰が大きい場合があり、サンプルパルス自体が消失してコンポジット映像信号SvのAGCによる再現が不可能になる場合が想定される。
しかし、本例においては、サンプルパルスのレベルをCCUにて設定されるレベルに連続的に可変にするレベル可変手段（コンバータ73,スイッチング回路74およびサンプルパルス生成回路77等にて構成される）を設けるようにしているため、このレベル可変手段によってサンプルパルスのレベルがCCUにて設定されたレベルに応じて可変となり、その結果、サンプルパルス自体の消失を回避でき、CCUにおいてケーブル長補償を良好に行なうことができる。
しかも、上述したように、サンプルパルスの付加をカメラアダプタ３ではなく、カメラ本体２におけるサンプルパルス付加回路211において行い、さらにコンポジット映像信号Svのレベル変換を仕向先に応じてカメラ本体２において行なうようにしたので、信号の再調整が不要となり、再調整不良等によるマトリックスエラーを低減することができる。
また、本例においては、合成回路209の後段にCCUとの間で同期をとるための同期信号SYNCをコンポジット映像信号Svに付加するSYNC付加回路212を接続し、さらに付加される同期信号SYNCのレベルをCCU別に連続的に可変にするレベル可変手段（コンバータ81,スイッチング回路82およびウィンドウパルス生成回路85等にて構成される）を設けるようにしているため、すべてのCCUに対してこのカメラを接続することが可能となり、カメラに汎用性を持たせることができる。
なお、上述した例においては、CCD固体撮像素子121R,121G,121Bを有する撮像ブロック12を例にとって説明したが、この発明はその他の撮像素子を有して構成される撮像素子装置がカメラ本体に対して着脱可能に構成されるものにも同様に適用することができる。また、この発明を放送用のスタジオカメラに適用した例を示したが、その他、放送用のポータブルカメラ、業務用および家庭用のビデオカメラにも適用することができる。また、撮像ブロック12の範囲は第２図に一点鎖線で囲んだ範囲に限定されるものでなく、例えば処理回路202R,202G,202Bのクリーニング回路309R,309G,309Bまでを含むようにしてもよい。
産業上の利用可能性
以上のようにこの発明に係るビデオカメラおよびビデオカメラのセットアップ方法は、撮像素子を有する撮像ブロックがカメラ本体に対して着脱可能に構成されたビデオカメラに適用して好適である。また、カメラケーブルを通じてCCUやVTR等に接続可能な放送用カメラ等に適用して好適である。
0003541388.tif 000002
0003541388.tif 000003
【図１】
0003541388.tif 000004
【図２】
0003541388.tif 000005
【図３】
0003541388.tif 000006
【図６】
0003541388.tif 000007
【図４】
0003541388.tif 000008
【図５】
0003541388.tif 000009
【図７】
0003541388.tif 000010
【図８】
0003541388.tif 000011
【図９】
0003541388.tif 000012
【図１０】
0003541388.tif 000013
【図１１】
0003541388.tif 000014
【図１２】
0003541388.tif 000015
【図１３】
0003541388.tif 000016
【図１４】
0003541388.tif 000017
【図１５】
0003541388.tif 000018
【図１６Ａ】
0003541388.tif 000019
【図１６Ｂ】
0003541388.tif 000020
【図１７Ａ】
0003541388.tif 000021
【図１７Ｂ】
0003541388.tif 000022